(57)【要約】【課題】表示画面の一端部を変形させても予め定められた処理が実行されない場合に比べて、表示画面が変形可能な表示装置の利便性を向上させることを目的とする。【解決手段】表示装置１は、少なくともゲージ部２１ａが変形可能な表示画面２１を有する画像表示部２と、ゲージ部２１ａの変形を検知する検知部と、検知部によりゲージ部２１ａの変形が検知されると、予め定められた処理を実行する実行部と、を備える。また、実行部は、ゲージ部２１ａの手前側への変形が検知部により検知される場合と奥側への変形が検知される場合とで、異なる処理を実行する。さらに、実行部は、ゲージ部２１ａの手前側への変形が検知部により検知される場合および奥側への変形が検知される場合のうちの一方の場合に、表示画面２１に表示される画像を変化させ、他方の場合に、変化前の画像を表示画面２１に表示させる。【選択図】図６
2018081503.tif 000002
【特許請求の範囲】
【請求項１】
少なくとも一端部が変形可能な表示画面を有する画像表示部と、
前記一端部の変形を検知する検知部と、
前記検知部により前記一端部の変形が検知されると、予め定められた処理を実行する実行部と、
を備える、表示装置。
【請求項２】
前記実行部は、前記一端部の手前側への変形が前記検知部により検知される場合と奥側への変形が検知される場合とで異なる処理を実行する請求項１記載の表示装置。
【請求項３】
前記実行部は、前記一端部の前記手前側への変形が前記検知部により検知される場合および前記奥側への変形が検知される場合のうちの一方の場合に、前記表示画面に表示される画像を変化させ、他方の場合に、変化前の画像を当該表示画面に表示させる請求項２記載の表示装置。
【請求項４】
前記実行部は、前記検知部により前記一端部の変形が検知されると、第１の処理を実行し、当該第１の処理の実行後に再び当該一端部の変形が検知されると、当該第１の処理とは異なる第２の処理を実行する請求項１記載の表示装置。
【請求項５】
前記実行部は、予め定められた時間内に前記一端部の変形が前記検知部により検知された回数に応じて処理を実行する請求項１記載の表示装置。
【請求項６】
前記実行部は、前記一端部の変形が前記検知部により検知されている間、前記予め定められた処理の実行を継続する請求項１記載の表示装置。
【請求項７】
前記実行部は、前記検知部により前記一端部の変形が検知されると、当該表示画面に表示されている画像を拡大又は縮小させる請求項１記載の表示装置。
【請求項８】
前記実行部は、前記検知部により前記一端部の変形が検知されると、アプリケーションソフトウェアを起動させる請求項１記載の表示装置。
【請求項９】
少なくとも一端部が変形可能な表示画面を有する画像表示部を備える端末装置として機能するコンピュータに、
前記一端部の変形を検知する機能と
前記検知部により前記一端部の変形が検知されると、予め定められた処理を実行する機能と、
を実現させるためのプログラム。
【発明の詳細な説明】
【技術分野】
【０００１】
本発明は、表示装置およびプログラムに関する。
【背景技術】
【０００２】
特許文献１には、制御部は、フレキシブルディスプレイ部の湾曲の有無と座標に基づいた湾曲程度を確認し、画面で湾曲の程度が最も大きい所を中心地に決定し、中心地に向かってオブジェクトを移動させる携帯端末が開示されている。
【先行技術文献】
【特許文献】
【０００３】
【特許文献１】特開２０１３−１３４７７１号公報
【発明の概要】
【発明が解決しようとする課題】
【０００４】
画像を表示する表示装置の画像表示部には、少なくとも一端部が変形可能な表示画面が設けられることがある。しかしながら、例えばユーザが表示画面の一端部を変形させても表示装置において予め定められた処理が行われず、表示画面を変形させることが活用されていなかった。
本発明は、表示画面の一端部を変形させても予め定められた処理が実行されない場合に比べて、表示画面が変形可能な表示装置の利便性を向上させることを目的とする。
【課題を解決するための手段】
【０００５】
請求項１に記載の発明は、少なくとも一端部が変形可能な表示画面を有する画像表示部と、前記一端部の変形を検知する検知部と、前記検知部により前記一端部の変形が検知されると、予め定められた処理を実行する実行部と、を備える、表示装置である。
請求項２に記載の発明は、前記実行部は、前記一端部の手前側への変形が前記検知部により検知される場合と奥側への変形が検知される場合とで、異なる処理を実行する請求項１記載の表示装置である。
請求項３に記載の発明は、前記実行部は、前記一端部の前記手前側への変形が前記検知部により検知される場合および前記奥側への変形が検知される場合のうちの一方の場合に、前記表示画面に表示される画像を変化させ、他方の場合に、変化前の画像を当該表示画面に表示させる請求項２記載の表示装置である。
請求項４に記載の発明は、前記実行部は、前記検知部により前記一端部の変形が検知されると、第１の処理を実行し、当該第１の処理の実行後に再び当該一端部の変形が検知されると、当該第１の処理とは異なる第２の処理を実行する請求項１記載の表示装置である。
請求項５に記載の発明は、前記実行部は、予め定められた時間内に前記一端部の変形が前記検知部により検知された回数に応じて処理を実行する請求項１記載の表示装置である。
請求項６に記載の発明は、前記実行部は、前記一端部の変形が前記検知部により検知されている間、前記予め定められた処理の実行を継続する請求項１記載の表示装置である。
請求項７に記載の発明は、前記実行部は、前記検知部により前記一端部の変形が検知されると、当該表示画面に表示されている画像を拡大又は縮小させる請求項１記載の表示装置である。
請求項８に記載の発明は、前記実行部は、前記検知部により前記一端部の変形が検知されると、アプリケーションソフトウェアを起動させる請求項１記載の表示装置である。
請求項９に記載の発明は、少なくとも一端部が変形可能な表示画面を有する画像表示部を備える端末装置として機能するコンピュータに、前記一端部の変形を検知する機能と前記検知部により前記一端部の変形が検知されると、予め定められた処理を実行する機能と、を実現させるためのプログラムである。
【発明の効果】
【０００６】
請求項１の発明によれば、表示画面の一端部を変形させても予め定められた処理が実行されない場合に比べて、表示画面が変形可能な表示装置の利便性を向上させることができる。
請求項２の発明によれば、一端部が手前側に変形する場合と奥側に変形する場合とで実行部が同じ処理を実行する場合に比べて、実行部に異なる処理を実行させるためにユーザが行う操作が簡易になる。
請求項３の発明によれば、一端部を手前側又は奥側へ変形させるというユーザの動作と、表示画面に表示される画像の変化等とを、ユーザの直感に対応付けて設定することができる。
請求項４の発明によれば、予め定められた処理として実行部が第１の処理のみ実行する場合に比べて、実行部に第１の処理および第２の処理を実行させるためにユーザが行う操作が簡易になる。
請求項５の発明によれば、予め定められた時間内に一端部の変形が検知された回数に関わらず実行部が同じ処理を実行する場合に比べて、実行部に異なる処理を実行させるためにユーザが行う操作が簡易になる。
請求項６の発明によれば、実行部に予め定められた処理の実行を継続させるために、ユーザが一端部を変形させる操作を繰り返し行う必要がなくなる。
請求項７の発明によれば、一端部を手前側又は奥側へ変形させるというユーザの動作と、表示画面に表示されている画像の拡大又は縮小とを、ユーザの直感に対応付けて設定することができる。
請求項８の発明によれば、アプリケーションソフトウェアを起動させるためにユーザが操作する操作部を表示装置に設けることが必須ではなくなる。
請求項９の発明によれば、表示画面の一端部を変形させても予め定められた処理が実行されない場合に比べて、表示画面が変形可能な端末装置の利便性を向上させることができる。
【図面の簡単な説明】
【０００７】
【図１】（ａ）は、本実施形態に係る端末装置の全体図であり、（ｂ）は、端末装置の側方から端末装置を眺めた図であり、（ｃ）は、端末装置を折り畳んだ状態を示した図である。
【図２】（ａ）〜（ｆ）は、端末装置が変形したときの形態を示した図である。
【図３】変形時処理を実現するための制御部の機能構成例を示した図である。
【図４】ゲージ部の変形が生じた際における端末装置の検知処理の流れを示したフローチャートである。
【図５】（ａ）〜（ｄ）は、変形時処理としてのアプリケーションソフトウェアを動作させる処理を示した図である。
【図６】（ａ）〜（ｃ）は、変形時処理としての表示画面の画像表示に係る処理を示した図である。
【図７】（ａ）〜（ｃ）は、変形時処理としての表示画面の画像表示に係る処理を示した図である。
【図８】（ａ）〜（ｃ）は、変形時処理としての表示画面の画像表示に係る処理を示した図である。
【図９】端末装置のハードウェア構成例を示した図である。
【発明を実施するための形態】
【０００８】
以下、添付図面を参照して、本発明の実施形態について詳細に説明する。
図１（ａ）は、本実施形態に係る端末装置１の全体図であり、図１（ｂ）は、端末装置１の側方（図１（ａ）における図中矢印ＩＢ方向）から端末装置１を眺めた図である。また、図１（ｃ）は、端末装置１を折り畳んだ状態を示した図である。さらに、図２（ａ）〜（ｆ）は、端末装置１が変形したときの形態を示した図である。
【０００９】
図１（ａ）に示すように、表示装置の一例としての端末装置１は、画像を表示する画像表示部２と、画像表示部２を支持する本体部４とを備える。また、端末装置１は、端末装置１全体を制御する制御部３と、端末装置１の電源の入り切りを行う電源制御部５とを備える。
【００１０】
画像表示部２は、画像を表示する表示画面２１を備える。表示画面２１は、タッチパネルとして機能するようになっている。表示画面２１としては、例えば、有機ＥＬディスプレイを用いることができる。
【００１１】
また、本実施形態の表示画面２１は、変形可能に設けられている。
図２（ａ）に示すように、ユーザは、表示画面２１における図中右上側の隅の部分（以下、右上隅部と称する）を図中手前側に折り曲げることができる。また、図２（ｂ）に示すように、ユーザは、表示画面２１の右上隅部を図中奥側に折り曲げることができる。
また、図２（ｃ）に示すように、ユーザは、表示画面２１の一端部（表示画面２１の長手方向における右端部）を全体的に図中矢印Ａ方向へ曲げることができる。また、図２（ｄ）に示すように、ユーザは、表示画面２１の右端部を全体的に図中矢印Ｂ方向へ曲げることができる。
【００１２】
さらに、図２（ｅ）に示すように、ユーザは、表示画面２１の右端部を図中矢印Ｃ方向に捻って（捩じって）曲げることができる。また、図２（ｆ）に示すように、ユーザは、表示画面２１の右端部を図中矢印Ｄ方向に捻って（捩じって）曲げることができる。
【００１３】
図１（ａ）に示す本体部４は、例えば樹脂材料により形成されるとともに、変形可能な厚さで形成されている。また、本体部４は、表示画面２１における右端部の変形を検知するひずみゲージ４１と、端末装置１を折り畳むために用いられる蝶番としてのヒンジ４２とを備える。
【００１４】
図１（ｂ）に示すように、ひずみゲージ４１は、本体部４の長手方向における図中右側の端部に設けられている。また、図１（ａ）に示すように、ひずみゲージ４１は、本体部４の幅方向における一端部から他端部にかけて設けられている。なお、ひずみゲージ４１は、表示画面２１の内部に設けられる構成であってもよい。また、表示画面２１の裏面と本体部４の表面との間に設けられる構成であってもよい。
【００１５】
ひずみゲージ４１には、例えば金属箔又は導電性の半導体が取り付けられている。ユーザが、表示画面２１のうちの、端末装置１の長手方向においてひずみゲージ４１が位置する部分（以下、ゲージ部２１ａと称する）を曲げると、ひずみゲージ４１における電気抵抗値が変化する。この電気抵抗値の変化が検知されることにより、ひずみゲージ４１に生じるひずみが検知される。
【００１６】
本実施形態では、図２（ａ）〜（ｆ）に示したゲージ部２１ａの変形を検知できるようにひずみゲージ４１が設けられている。なお、ひずみゲージ４１の代わりに圧電素子を設けてもよい。この場合、ゲージ部２１ａの変形時にこの圧電素子に流れる電流の値の変化が検知されることにより、圧電素子に生じる変位が検知される。
【００１７】
ヒンジ４２は、本体部４の長手方向における中央部に設けられている。また、ヒンジ４２は、本体部４の幅方向における一端部から他端部にかけて設けられている。ヒンジ４２を回転中心として端末装置１の長手方向における図中右側の部分を図中反時計回り方向に回転させることで、図１（ｃ）に示すように、端末装置１を折り畳むことができる。
制御部３および電源制御部５は、本体部４の長手方向における図中左側（ひずみゲージ４１が設けられている側とは反対側）の端部に設けられている（図１（ａ）参照）。
【００１８】
本実施形態では、ユーザが表示画面２１のゲージ部２１ａを曲げると（図２（ａ）〜（ｆ）参照）、ひずみゲージ４１にひずみが生じる。このひずみが検知されることで、ゲージ部２１ａの変形が検知される。
さらに、本実施形態では、ゲージ部２１ａの変形が検知されると、表示画面２１上で端末装置１の機能が発揮される。言い換えると、ユーザがゲージ部２１ａを曲げると、表示画面２１の中央部が湾曲するか否かに関わらず、端末装置１は予め定められた処理（以下、変形時処理と称する）を行う。なお、変形時処理の具体的な内容については、後に詳述する。
【００１９】
図３は、変形時処理を実現するための制御部３の機能構成例を示した図である。
制御部３は、表示画面２１におけるゲージ部２１ａの変形を検知する検知部３１と、表示画面２１の表示に係る情報を取得する表示情報取得部３２とを備える。また、制御部３は、変形時処理として行う内容を指示する指示部３３と、表示画面２１に表示する画像を制御する描画部３４と、変形時処理としての種々の処理を実行する処理実行部３５とを備える。
【００２０】
検知部３１は、ゲージ部２１ａの変形が生じるとひずみゲージ４１の電気抵抗値が変化することに基づいて、ゲージ部２１ａの変形を検知する。具体的には、ひずみゲージ４１における電気抵抗値の変化量が予め定められた閾値よりも大きい場合に、検知部３１によりゲージ部２１ａの変形が検知される。
また、検知部３１は、電気抵抗値の変化量の大きさに基づいて、ゲージ部２１ａの変形量を検知する。
【００２１】
また、検知部３１は、表示画面２１のゲージ部２１ａが手前側に変形しているか（図２（ａ）、（ｃ）、（ｆ）参照）、又は奥側に変形しているか（図２（ｂ）、（ｄ）、（ｅ）参照）を検知する。さらに、検知部３１は、予め定められた時間内にゲージ部２１ａの変形が生じた回数を検知する。
そして、検知部３１は、検知した情報を、表示情報取得部３２および指示部３３へ送信する。
【００２２】
表示情報取得部３２は、表示画面２１におけるゲージ部２１ａの変形が生じた際の表示画面２１の表示に係る情報を取得する。取得する情報としては、例えば、画像に係る情報や、データ（例えば、文書ファイルなど）に係る情報や、アプリケーションソフトウェアに係る情報である。
そして、表示情報取得部３２は、取得した情報を指示部３３へ送信する。
【００２３】
指示部３３は、検知部３１や表示情報取得部３２から取得した情報に基づいて、変形時処理として実行する内容を決定する。そして、指示部３３は、描画部３４および処理実行部３５のうちの一方又は両方に対して、変形時処理を実行するために必要な指示を送信する。
【００２４】
描画部３４は、指示部３３からの指示に基づいて、表示画面２１に画像を表示させる。
処理実行部３５は、指示部３３からの指示に基づいて、アプリケーションソフトウェアを動作させる処理等を実行する。
なお、描画部３４、および、処理実行部３５が実行する処理の内容については、後に詳述する。また、指示部３３、描画部３４、および、処理実行部３５は、実行部の一例である。
【００２５】
次に、表示画面２１におけるゲージ部２１ａの変形が生じた際における端末装置１の検知処理の流れについて説明する。
図４は、ゲージ部２１ａの変形が生じた際における端末装置１の検知処理の流れを示したフローチャートである。
【００２６】
まず、ユーザが表示画面２１のゲージ部２１ａを曲げると、検知部３１は、ゲージ部２１ａの変形を検知する（ステップ１０１）。
続いて、検知部３１は、ゲージ部２１ａの変形を検知してから予め定められた時間内にゲージ部２１ａの変形が生じた回数を検知する（ステップ１０２）。この回数には、ゲージ部２１ａの最初の変形（検知部３１が予め定められた時間を測定する契機となったゲージ部２１ａの変形）が含まれる。そして、検知部３１は、検知した情報を指示部３３へ送信する。
【００２７】
指示部３３は、検知部３１から取得した情報に基づいて、変形時処理として実行する処理内容を決定する。そして、指示部３３は、決定した変形時処理を実行するために必要な指示を、描画部３４および処理実行部３５のうちの一方又は両方へ送信する。その後、変形時処理が行われる（ステップ１０３）。
【００２８】
続いて、変形時処理について具体的に説明する。
本実施形態では、表示画面２１のゲージ部２１ａが手前側に変形する場合と奥側に変形する場合とで、変形時処理として異なる処理を実行可能になっている（前後方向変形処理）。また、予め定められた時間内にゲージ部２１ａの変形が生じた回数に応じて、変形時処理として異なる処理を実行可能になっている（回数処理）。
【００２９】
また、ゲージ部２１ａの変形が検知された回数に応じて、変形時処理として異なる処理を実行可能になっている（累積回数処理）。また、ゲージ部２１ａの変形が生じている間、変形時処理の実行を継続可能になっている（継続処理）。さらに、ゲージ部２１ａの変形の程度の大きさに応じて、変形時処理として異なる処理を実行可能になっている（変形量処理）。またさらに、ゲージ部２１ａの変形が検知される度に、変形時処理として異なる処理を実行可能になっている（変動処理）。
【００３０】
（回数処理）
図５（ａ）〜（ｄ）は、変形時処理としてのアプリケーションソフトウェアを動作させる処理を示した図である。図５（ａ）〜（ｄ）に示す例では、表示画面２１におけるゲージ部２１ａの変形が生じた回数に応じて、処理実行部３５が、アプリケーションソフトウェアを用いて異なる処理を行う。
【００３１】
図５（ａ）に示すように、ユーザが表示画面２１のゲージ部２１ａを一回曲げるとする。具体的には、ユーザが表示画面２１の右上隅部を曲げるとする。すると、処理実行部３５は、図５（ａ）に示すように、電子メールのアプリケーションソフトウェアを起動させる。これにより、表示画面２１には、電子メールのアプリケーションソフトウェアに係る画像Ｇ１が表示される。
ここで、図５（ａ）に示した状態から、ユーザが、予め定められた時間（例えば、１秒間）内に、ゲージ部２１ａを曲げる操作を二回繰り返して行う（二回連続してゲージ部２１ａを曲げる）とする。すると、処理実行部３５は、図５（ｂ）に示すように、ユーザが作成した電子メールを送信する。
【００３２】
このように、本実施形態では、変形時処理として、アプリケーションソフトウェアを動作させる処理を実行する。これにより、アプリケーションソフトウェアを動作させるためにユーザが操作する操作部を端末装置１に設けることが必須ではなくなる。
【００３３】
また、本実施形態では、処理実行部３５は、予め定められた時間内にゲージ部２１ａの変形が生じた回数に応じて、アプリケーションソフトウェアを用いて異なる処理を行う。これにより、ユーザがゲージ部２１ａを曲げる以外の操作を行うことなく、処理実行部３５によるアプリケーションソフトウェアを用いた複数種類の処理の実行が実現することとなり、この複数種類の処理の実行を実現させるためにユーザが行う操作が簡易になる。
【００３４】
なお、ユーザが、予め定められた時間内に、ゲージ部２１ａを曲げる操作を二回繰り返した場合の処理例は、図５（ｂ）に示した例に限られない。例えば、図５（ａ）に示した状態から、１秒間の内にユーザがゲージ部２１ａを曲げる操作を二回繰り返すと、処理実行部３５は、図５（ｃ）に示すように、電子メールのアプリケーションソフトウェアを終了させる処理を実行する。
【００３５】
さらに、図５（ａ）に示した状態から、１秒間の内にユーザがゲージ部２１ａを曲げる操作を二回繰り返すと、処理実行部３５は、図５（ｄ）に示すように、電子メールとは異なる音楽のアプリケーションソフトウェアを動作させる処理を実行してもよい。すなわち、予め定められた時間内にゲージ部２１ａの変形が検知部３１により検知された回数に応じて、機能を切り替えてもよい。これにより、表示画面２１には、音楽のアプリケーションソフトウェアに係る画像Ｇ２が表示される。また、これに伴い、処理実行部３５は、電子メールのアプリケーションソフトウェアを終了させてもよいし、起動させたままでもよい。
【００３６】
なお、電子メールのアプリケーションソフトウェアが起動しているか否かに関わらず、１秒間の内にユーザがゲージ部２１ａを曲げる操作を二回繰り返すと、処理実行部３５が音楽のアプリケーションソフトウェアを動作させる処理を実行してもよい。
【００３７】
また、図５（ａ）に示した状態から、ユーザがゲージ部２１ａを曲げる回数に応じて、処理実行部３５が図５（ｂ）〜（ｄ）に示した処理を行うこととしてもよい。
例えば、図５（ａ）に示した状態から、１秒間の内にユーザがゲージ部２１ａを曲げる操作を一回行うと、図５（ｂ）に示すように、処理実行部３５はユーザが作成した電子メールを送信する。
【００３８】
また、図５（ａ）に示した状態から、１秒間の内にユーザがゲージ部２１ａを曲げる操作を二回繰り返すと、図５（ｃ）に示すように、処理実行部３５は電子メールのアプリケーションソフトウェアを終了させる。
さらに、図５（ａ）に示した状態から、１秒間の間にユーザがゲージ部２１ａを曲げる操作を三回繰り返すと、図５（ｄ）に示すように、処理実行部３５が音楽のアプリケーションソフトウェアを動作させることとしてもよい。
【００３９】
（変動処理）
また、ゲージ部２１ａの変形が生じる度に処理実行部３５が図５（ａ）〜（ｄ）に示した処理を順次行うこととしてもよい。
例えば、ユーザがゲージ部２１ａを一回曲げると、図５（ａ）に示すように、処理実行部３５は電子メールのアプリケーションソフトウェアを起動させる。
【００４０】
また、図５（ａ）に示した状態から、ユーザがゲージ部２１ａをさらに一回曲げると、図５（ｂ）に示すように、処理実行部３５はユーザが作成した電子メールを送信する。
さらに、図５（ｂ）に示した状態から、ユーザがゲージ部２１ａをさらに一回曲げると、図５（ｃ）に示すように、処理実行部３５は電子メールのアプリケーションソフトウェアを終了させる。
またさらに、図５（ｃ）に示した状態から、ユーザがゲージ部２１ａをさらに一回曲げると、図５（ｄ）に示すように、処理実行部３５が音楽のアプリケーションソフトウェアを動作させることとしてもよい。
【００４１】
なお、図５（ａ）に示した状態において、ユーザがゲージ部２１ａを一回曲げたときに、作成中の電子メールが存在する場合に、処理実行部３５は、電子メールを送信する処理を行ってもよい（図５（ｂ）参照）。そして、作成中の電子メールが存在しない場合に、処理実行部３５は、電子メールのアプリケーションソフトウェアを終了させてもよい（図５（ｃ）参照）。
【００４２】
（前後方向変形処理）
また、図５（ａ）に示した状態において、ユーザがゲージ部２１ａを手前側に曲げると（図２（ａ）参照）、処理実行部３５は、電子メールを送信する処理を行ってもよい（図５（ｂ）参照）。そして、ユーザがゲージ部２１ａを奥側に曲げると（図２（ｂ）参照）、処理実行部３５は、電子メールのアプリケーションソフトウェアを終了させてもよい（図５（ｃ）参照）。
【００４３】
また、ユーザがゲージ部２１ａを手前側に曲げると（図２（ａ）参照）、処理実行部３５は、電子メールを起動する処理を行ってもよい（図５（ａ）参照）。そして、ユーザがゲージ部２１ａを奥側に曲げると（図２（ｂ）参照）、処理実行部３５は、音楽のアプリケーションソフトウェアを起動させてもよい（図５（ｄ）参照）。
【００４４】
（前後方向変形処理）
図６（ａ）〜（ｃ）は、変形時処理としての表示画面２１の画像表示に係る処理を示した図である。図６（ａ）〜（ｃ）に示す例では、画像表示に係る処理として、描画部３４は、文書ファイルの内容として表示画面２１に表示される画像をスクロールさせる。
【００４５】
図６（ａ）に示すように、表示画面２１には、文書ファイルの内容を表す文書ファイル画像Ｇ３が表示されている。ここで、図６（ａ）に示した文書ファイル画像Ｇ３は、文書ファイルが開かれた後にユーザの操作によりある程度下にスクロールされた画像である。具体的には、文書ファイル画像Ｇ３として、上から順に、文字「ＢＢＢ」が記載された行、文字「ＣＣＣ」が記載された行、および、文字「ＤＤＤ」が記載された行が表示画面２１に表示されている。
【００４６】
ここで、図６（ａ）に示した状態から、ユーザが、図６（ｂ）に示すように、表示画面２１のゲージ部２１ａを図中手前側に曲げるとする。具体的には、ユーザが、表示画面２１の右上隅部を図中手前側に曲げるとする。すると、検知部３１は、ゲージ部２１ａが図中手前側に変形したことを検知する。そして、表示情報取得部３２は、表示画面２１に表示されている文書ファイル画像Ｇ３の内容を取得する。そして、表示情報取得部３２は、取得した情報を指示部３３へ送信する。
指示部３３は、取得した情報に基づいて、描画部３４に対して、文書ファイル画像Ｇ３をさらに下にスクロールさせることを指示する。
【００４７】
そして、描画部３４は、文書ファイル画像Ｇ３を下にスクロールさせる。
その結果、文書ファイル画像Ｇ３として、文字「ＥＥＥ」が記載された行が、表示画面２１の下方に新たに表示される。具体的には、文書ファイル画像Ｇ３として、上から順に、文字「ＣＣＣ」が記載された行、文字「ＤＤＤ」が記載された行、および、文字「ＥＥＥ」が記載された行が表示画面２１に表示される。また、図６（ａ）において表示画面２１の上方に表示されていた文字「ＢＢＢ」の行は表示されなくなる。
【００４８】
また、図６（ａ）に示した状態から、ユーザが、図６（ｃ）に示すように、ゲージ部２１ａを図中奥側に曲げるとする。具体的には、ユーザが、表示画面２１の右上隅部を図中奥側に曲げるとする。すると、描画部３４は、文書ファイル画像Ｇ３を上にスクロールさせる。
【００４９】
その結果、文書ファイル画像Ｇ３として、文字「ＡＡＡ」が記載された行が、表示画面２１の上方に新たに表示される。具体的には、文書ファイル画像Ｇ３として、上から順に、文字「ＡＡＡ」が記載された行、文字「ＢＢＢ」が記載された行、および、文字「ＣＣＣ」が記載された行が表示画面２１に表示される。そして、図６（ａ）において表示画面２１の下方に表示されていた文字「ＤＤＤ」の行は表示されなくなる。
【００５０】
このように、本実施形態では、ゲージ部２１ａが図中手前側に変形すると、描画部３４は、文書ファイル画像Ｇ３を下にスクロールさせる。また、ゲージ部２１ａが図中奥側に変形すると、描画部３４は、文書ファイル画像Ｇ３を上にスクロールさせる。
言い換えると、ゲージ部２１ａが図中手前側に変形する場合、描画部３４は表示画面２１に表示されている画像を更新させ、ゲージ部２１ａが図中奥側に変形する場合、描画部３４は更新前の画像を表示画面２１に表示させる。
【００５１】
これにより、ユーザがゲージ部２１ａを曲げる以外の操作を行うことなく、描画部３４による二種類の処理（画像を下にスクロールさせる処理と画像を上にスクロールさせる処理）の実行が実現する。そのため、この二種類の処理の実行を実現させるためにユーザが行う操作が簡易になる。
【００５２】
特に、本実施形態では、ユーザが表示画面２１の右上隅部を図中手前側に曲げると（図６（ｂ）参照）、ゲージ部２１ａのうちの曲がりが生じた部分は下方を向くこととなる。この場合に、描画部３４は文書ファイル画像Ｇ３を下にスクロールさせる。
また、ユーザが表示画面２１の右上隅部を図中奥側に曲げると（図６（ｃ）参照）、ゲージ部２１ａのうちの曲がりが生じた部分は上方を向くこととなる。この場合に、描画部３４は文書ファイル画像Ｇ３を上にスクロールさせる。
【００５３】
そのため、ユーザが文書ファイル画像Ｇ３をスクロールさせたい方向へゲージ部２１ａのうちの変形箇所を向けるというユーザの直感的な操作により、文書ファイル画像Ｇ３が上又は下にスクロールする。
【００５４】
なお、ゲージ部２１ａのうちの曲がりが生じた部分が上方を向く場合に、描画部３４は文書ファイル画像Ｇ３を下にスクロールさせてもよい。この場合、端末装置１の裏面のうちの曲がりが生じた部分が下方を向くと、文書ファイル画像Ｇ３が下にスクロールすることとなる。
また、ゲージ部２１ａのうちの曲がりが生じた部分が下方を向く場合に、描画部３４は文書ファイル画像Ｇ３を上にスクロールさせてもよい。この場合、端末装置１の裏面のうちの曲がりが生じた部分が上方を向くと、文書ファイル画像Ｇ３が上にスクロールすることとなる。
【００５５】
これにより、ユーザが文書ファイル画像Ｇ３をスクロールさせたい方向へ、端末装置１の裏面のうちの変形箇所を向けるというユーザの直感的な操作により、文書ファイル画像Ｇ３が上又は下にスクロールする。
【００５６】
また、本実施形態では、変形時処理として描画部３４が画像を上又は下にスクロールさせることとしたが、描画部３４は画像を右又は左にスクロールさせてもよい。
例えば、ユーザが表示画面２１の右上隅部を図中手前側に曲げると（図６（ｂ）参照）、ゲージ部２１ａのうちの曲がりが生じた部分は図中左側を向くこととなる。この場合に、描画部３４は文書ファイル画像Ｇ３を左にスクロールさせてもよい。
また、ユーザが表示画面２１の右上隅部を図中奥側に曲げると（図６（ｃ）参照）、ゲージ部２１ａのうちの曲がりが生じた部分は図中右側を向くこととなる。この場合に、描画部３４は文書ファイル画像Ｇ３を右にスクロールさせてもよい。
【００５７】
また、ゲージ部２１ａのうちの曲がりが生じた部分が右側を向く場合に、描画部３４は文書ファイル画像Ｇ３を左にスクロールさせてもよい。この場合、端末装置１の裏面のうちの曲がりが生じた部分が左側を向くと、文書ファイル画像Ｇ３が左にスクロールすることとなる。
また、ゲージ部２１ａのうちの曲がりが生じた部分が左側を向く場合に、描画部３４は文書ファイル画像Ｇ３を右にスクロールさせてもよい。この場合、端末装置１の裏面のうちの曲がりが生じた部分が右側を向くと、文書ファイル画像Ｇ３が右にスクロールすることとなる。
【００５８】
また、本実施形態では、変形時処理として、描画部３４は、表示画面２１に表示されている文書ファイル画像Ｇ３をスクロールさせることとしたが、変形時処理として表示画面２１に表示されている画像を切り替えてもよい。例えば、フォルダ内に予め定められた順序で並ぶ複数の画像のうちの一つが表示画面２１に表示されているとする。ここで、ゲージ部２１ａが手前側に変形する場合および奥側に変形する場合のうちの一方の場合に、フォルダ内に複数並ぶ画像のうちの次の順番の画像を表示させ、他方の場合に、前の順番の画像を表示させてもよい。
【００５９】
（前後方向変形処理）
図７（ａ）〜（ｃ）は、変形時処理としての表示画面２１の画像表示に係る処理を示した図である。図７（ａ）〜（ｃ）に示す例では、画像表示に係る処理として、描画部３４は、表示画面２１に表示されている画像を縮小又は拡大させる。
【００６０】
図７（ａ）に示すように、表示画面２１には、アルファベットの「Ａ」が描かれた画像Ｇ４が表示されている。ここで、図７（ａ）に示した状態から、ユーザが、図７（ｂ）に示すように、表示画面２１のゲージ部２１ａを図中手前側に曲げるとする。具体的には、ユーザが、表示画面２１の右上隅部を図中手前側に曲げるとする。すると、描画部３４は、画像Ｇ４を縮小表示させる。
また、図７（ａ）に示した状態から、ユーザが、図７（ｃ）に示すように、ゲージ部２１ａを図中奥側に曲げるとする。具体的には、ユーザが、表示画面２１の右上隅部を図中奥側に曲げるとする。すると、描画部３４は、画像Ｇ４を拡大表示させる。
【００６１】
このように、本実施形態では、図７（ｂ）に示すように、ユーザが表示画面２１の右上隅部を図中手前側に曲げると（表示画面２１の一部を縮めるように曲げると）、描画部３４は画像Ｇ４を縮小表示させる。また、図７（ｃ）に示すように、ユーザが表示画面２１の右上隅部を図中奥側に曲げると（表示画面２１の一部を延ばすように曲げると）、描画部３４は画像Ｇ４を拡大表示させる。
これにより、ユーザが、表示画面２１の一部を縮める又は表示画面２１の一部を延ばすような直感的な操作により、画像Ｇ４が縮小表示され又は拡大表示される。
【００６２】
また、ユーザが表示画面２１の右上隅部を図中手前側に曲げると、描画部３４は画像Ｇ４を拡大表示させ、ユーザが表示画面２１の右上隅部を図中奥側に曲げると、描画部３４は画像Ｇ４を縮小表示させてもよい。
【００６３】
（前後方向変形処理）
図８（ａ）〜（ｃ）は、変形時処理としての表示画面２１の画像表示に係る処理を示した図である。図８（ａ）〜（ｃ）に示す例では、ユーザが、表示画面２１のゲージ部２１ａの全体を他端部側（図中左側）に向かう方向へ曲げると、描画部３４は、表示画面２１に表示されている画像を縮小又は拡大させる。
【００６４】
図８（ａ）に示すように、表示画面２１には、アルファベットの「Ａ」が描かれた画像Ｇ５が表示されている。
ここで、図８（ａ）に示した状態から、ユーザが、図８（ｂ）に示すように、表示画面２１のゲージ部２１ａの全体を図中矢印Ｅ方向（図中反時計回り方向）に曲げるとする。言い換えると、ユーザが、ゲージ部２１ａが凹むようにゲージ部２１ａを曲げるとする。すると、描画部３４は、画像Ｇ５を縮小表示させる。
【００６５】
また、図８（ａ）に示した状態から、ユーザが、図８（ｃ）に示すように、ゲージ部２１ａの全体を図中矢印Ｆ方向（図中時計回り方向）に曲げるとする。言い換えると、ユーザが、ゲージ部２１ａが凸むようにゲージ部２１ａを曲げるとする。すると、描画部３４は、画像Ｇ５を拡大表示させる。
【００６６】
なお、ユーザが、表示画面２１のゲージ部２１ａの全体を図中反時計回り方向に曲げると、描画部３４は画像Ｇ５を拡大表示させ、ユーザが、ゲージ部２１ａの全体を図中時計回り方向に曲げると、描画部３４は画像Ｇ５を縮小表示させてもよい。
【００６７】
（変形量処理）
本実施形態では、ゲージ部２１ａの変形の程度の大きさに応じて、変形時処理として異なる処理を行ってもよい。
例えば、図６（ａ）〜（ｃ）に示した例において、ユーザがゲージ部２１ａを曲げる程度が大きいほど、描画部３４が画像をスクロールさせる速度を速めてもよい。
さらに、図７（ａ）〜（ｃ）および図８（ａ）〜（ｃ）に示した例において、ユーザがゲージ部２１ａを曲げる程度が大きいほど、描画部３４は、画像を拡大させる程度又は画像を縮小させる程度を大きくして、表示画面２１に画像表示させてもよい。
【００６８】
さらに、ゲージ部２１ａの変形量が予め定められた変形量よりも大きい場合に、描画部３４は表示画面２１に画像を表示させなくてもよい。またさらに、ゲージ部２１ａの変形量が予め定められた変形量よりも大きいと、電源制御部５が端末装置１の電源を切ってもよい。
またさらに、ゲージ部２１ａの変形量に応じて、処理実行部３５は異なるアプリケーションソフトウェアを動作させてもよい。
【００６９】
（継続処理）
また、ユーザが表示画面２１のゲージ部２１ａを曲げている間、変形時処理を継続して行ってもよい。
例えば、図６（ａ）〜（ｃ）に示した例において、ユーザがゲージ部２１ａを曲げている間、描画部３４が表示画面２１に表示される画像をスクロールさせ続けてもよい。
さらに、図７（ａ）〜（ｃ）および図８（ａ）〜（ｃ）に示した例において、ユーザがゲージ部２１ａを曲げている間、描画部３４は、画像を拡大させ続け又は縮小させ続けてもよい。
【００７０】
（累積回数処理）
また、図６（ａ）〜（ｃ）に示した例において、１秒間の内にユーザがゲージ部２１ａを曲げる操作を繰り返した回数が多いほど、描画部３４が画像をスクロールさせる速度を速めてもよい
また、図７（ａ）〜（ｃ）、図８（ａ）〜（ｃ）に示した例において、１秒間の内にユーザがゲージ部２１ａを曲げる操作を繰り返した回数が多いほど、描画部３４は、画像を拡大させる程度又は画像を縮小させる程度を大きくしてもよい。
【００７１】
（変形時処理としての他の処理例）
また、表示画面２１に表示されている内容に応じて、異なる処理を行ってもよい。
例えば、表示画面２１に画像ファイルが表示されている場合、ユーザがゲージ部２１ａを曲げると、描画部３４は、この画像ファイルを拡大表示させ又は縮小表示させる。その一方で、表示画面２１にウェブブラウザ画面が表示されている場合、ユーザがゲージ部２１ａを曲げると、このウェブブラウザ画面をスクロールさせることとしてもよい。
【００７２】
また、変形時処理として、表示画面２１に表示されている画像の印刷が行われるようにしてもよい。この場合、ユーザがゲージ部２１ａを曲げると、指示部３３は、表示画面２１に表示されている画像を印刷することを処理実行部３５に指示する。
そして、処理実行部３５は、指示部３３からの指示に基づいて、ネットワークを介して端末装置１に接続されている画像形成装置（不図示）に対して印刷指示を出力する。これにより、画像形成に係るアプリケーションソフトウェアを動作させて印刷を行う。
【００７３】
（禁則処理について）
なお、変形時処理が行われている間は、ユーザが表示画面２１に接触することに起因してタッチパネルに対するユーザのタッチ操作を一時的に無効にする禁則処理を行ってもよい。このようにすることで、ユーザが意図しないタッチ操作が実行されることが防止される。
【００７４】
また、表示画面２１の中央部が変形すると、変形時処理の結果が表示画面２１の表示に反映されることとしてもよい。
なお、本実施形態では、図５〜図８に示したように、表示画面２１のゲージ部２１ａが変形すると、変形時処理の結果が表示画面２１の表示に反映される。一般的に、表示画面２１に画像が表示される場合、表示画面２１の中央部を中心として画像が表示されることが多い。この点、本実施形態では、表示画面２１の端部を変形させれば変形時処理が行われるため、変形時処理の結果が表示画面２１に反映されたときに表示画面２１の中央部は変形しておらず、ユーザは反映された表示結果を認識しやすい。
【００７５】
次に、端末装置１のハードウェア構成について説明する。
図９は、端末装置１のハードウェア構成例を示した図である。端末装置１は、ＣＰＵ（Central Processing Unit）９１と、メインメモリ９２及びＨＤＤ（Hard Disk Drive）９３とを備える。ここで、ＣＰＵ９１は、ＯＳ（Operating System）やアプリケーションソフトウェア等の各種プログラムを実行する。また、メインメモリ９２は、各種プログラムやその実行に用いるデータ等を記憶し、ＨＤＤ９３は、各種プログラムに対する入力データや各種プログラムからの出力データ等を記憶する。更に、端末装置１は、外部との通信を行うための通信インターフェース（以下、「通信Ｉ／Ｆ」と表記する）９４を備える。
【００７６】
以上述べた本実施の形態における端末装置１が行う処理は、例えば、アプリケーションソフトウェア等のプログラムとして用意される。
なお、本実施形態を実現するプログラムは、ＣＤ−ＲＯＭ等の記録媒体に格納して提供することも可能である。
【符号の説明】
【００７７】
１…端末装置、２…画像表示部、３…制御部、４…本体部、５…電源制御部、２１…表示画面、２１ａ…ゲージ部、３１…検知部、３２…表示情報取得部、３３…指示部、３４…描画部、３５…処理実行部、４１…ひずみゲージ、４２…ヒンジ、９１…ＣＰＵ、９２…メインメモリ、９３…ＨＤＤ、９４…通信Ｉ／Ｆ
【図１】
2018081503.tif 000003
【図２】
2018081503.tif 000004
【図３】
2018081503.tif 000005
【図４】
2018081503.tif 000006
【図５】
2018081503.tif 000007
【図６】
2018081503.tif 000008
【図７】
2018081503.tif 000009
【図８】
2018081503.tif 000010
【図９】
2018081503.tif 000011